(57)【要約】【課題】  本発明は、撮像画像をより良く観察すると共に撮像データも同時に確認可能なカメラを提供することを目的とする。【構成】  被写体象を観察可能とする観察光学系と、被写体像を画像信号に変換する撮像部４６と、前記画像信号を画像データに変換する画像処理部４７と、前記画像データと、該画像データの撮像設定情報とを対応づけて記録する記憶部（４８、４９）と、画像データを再生する画像表示部４３と、前記観察光学系の光軸上に配置され、画像表示部４３による再生画像を前記観察光学系に重畳し観察可能とする重畳部材とを具備したカメラにおいて、画像表示部４３とは異なる領域に撮像設定情報を表示する設定表示部４４と、画像表示部４３により画像データを再生する際に該画像データに対応する撮像設定情報を設定表示部４４に表示させる制御部５４とを具備する。【選択図】図３
2006145843.tif 000002
【特許請求の範囲】
【請求項１】
撮影光学系を介して被写体象を観察可能とする観察光学系と、
前記被写体像を画像信号に変換する撮像部と、
前記画像信号を画像データに変換する画像処理部と、
少なくとも前記画像データと、該画像データの撮像設定情報とを対応づけて記録する記憶部と、
前記画像データを再生する画像表示部と、
前記観察光学系の光軸上に配置され、前記画像表示部による再生画像を前記観察光学系に重畳し観察可能とする重畳手段とを具備したカメラにおいて、
前記カメラはさらに、前記観察光学系により観察可能で、前記画像表示部とは異なる領域に前記撮像設定情報を表示する設定表示部と、
前記画像表示部により画像データを再生する際に該画像データに対応する撮像設定情報を前記設定表示部に表示させる制御部とを具備することを特徴とするカメラ。
【請求項２】
請求項１に記載のカメラにおいて、前記重畳手段は、偏光ビームスプリッターと、ホログラム素子と、１／４波長板とを具備することを特徴とするカメラ。
【請求項３】
請求項１乃至２に記載のカメラにおいて、前記設定表示部は、撮像時には撮像動作に用いる撮像設定情報を表示することを特徴とするカメラ。
【発明の詳細な説明】
【技術分野】
【０００１】
本発明は、観察光学系を具備するカメラに関する。
【背景技術】
【０００２】
従来、デジタルカメラは、カメラ本体背面に画像表示用の表示部材を設けているものが多い。上記デジタルカメラでは、該背面液晶に撮像済み画像や、該撮像済み画像を撮影した際の撮像データ等が表示可能である。現像するまで撮影された画像を確認することができない銀塩フィルムカメラと比べ、撮影された画像を背面液晶表示部にて確認できることは、便利でありデジタルカメラの利点である。
【０００３】
しかし、屋外等周囲が明るい状況では、背面表示部による表示画像が見づらく詳細な画像の確認が困難な場合がある。そのため、従来の光学式ファインダ（以下ＯＶＦと称す）の代わりに、接眼ファインダからカメラに内蔵された小型の表示装置に被写体像又は撮像済み画像を表示するエレクトリックビューファインダ（以下ＥＶＦと称す）を持つものがある。また、一般的にＥＶＦはＯＶＦに比べ反応速度、色再現、解像度等において不利であるため、必要に応じてＯＶＦとＥＶＦが切換え可能なファインダ装置を持つものもある（例えば特許文献１）。
【特許文献１】特開平１０−２９４８８８
【発明の開示】
【発明が解決しようとする課題】
【０００４】
しかし、上記したEVFを持つカメラにおいても、周囲が明るい状況で画像が確認可能であるが、撮像画像と撮像データ同時に確認する際には撮像画像に重畳し撮像データを表示するため、撮像画像が見にくくなる。
【０００５】
本発明は、周囲の明暗に係らず、撮像画像をより良く観察すると共に撮像データも同時に確認可能なカメラを提供することを目的とする。
【課題を解決するための手段】
【０００６】
撮影光学系を介して被写体象を観察可能とする観察光学系と、前記被写体像を画像信号に変換する撮像部と、前記画像信号を画像データに変換する画像処理部と、少なくとも前記画像データと、該画像データの撮像設定とを対応づけて記録する記憶部と、前記画像データを再生する画像表示部と、前記観察光学系の光軸上に配置され、前記画像表示部による再生画像を前記観察光学系に重畳し観察可能とする重畳手段とを具備したカメラにおいて、前記カメラはさらに、前記観察光学系により観察可能で、前記画像表示部とは異なる領域に前記撮像設定を表示する設定表示部と、前記画像表示部により画像データを再生する際に該画像データに対応する撮像設定を前記設定表示部に表示させる制御部を具備する。
【発明の効果】
【０００７】
本発明におけるデジタルカメラは周囲の明暗に影響されることなく、撮像済み画像と共に撮像データが観察しやすくなる。また、撮像画像を撮像データと共に確認可能なため、撮像データを次の撮影に反映しやすい。
【発明を実施するための最良の形態】
【０００８】
以下、本発明の実施の形態について図面を参照しつつ説明する。
＜構成＞
本発明の第一の実施の形態におけるデジタルカメラ１の縦断面図を図１に示す。
【０００９】
図１に示したデジタルカメラ１は、交換レンズ１０とカメラボディー２０とが着脱可能な、レンズ交換式一眼レフデジタルカメラである。不図示の被写体からの被写体像光束は、撮像レンズ１１、絞り１２を通してクイックリターンミラー２１で反射されフォーカシングスクリーン２２に結像する。
【００１０】
フォーカシングスクリーン２２に結像された被写体像は、ポリマーネットワーク液晶（以下ＰＮ液晶とする）２３、ペンタプリズム２４、重畳部材１００、接眼光学系２５を介して接眼ファインダ２６より撮影者の眼で観察される。重畳部材１００については後述する。また、撮影構図が決められ撮影者が不図示のレリーズボタンを操作することによってクイックリターンミラー２１が撮影光学系の光軸から退避し、交換レンズ１０を通過した被写体像光束が撮像素子部２７に結像される。
【００１１】
ペンタプリズム２４の被写体像光束射出面上方部には、測光レンズ３０aと測光センサー３０ｂから構成される測光装置３０が配置されている。測光装置３０では被写体像の輝度を測定する。ＰＮ液晶２３は、オートフォーカスエリアのスーパーインポーズ表示を行っている。クイックリターンミラー２１に設けられた半透過窓より透過した被写体像光束は、サブミラー２１aによりカメラボディー２０下部に設けられた周知の焦点検出用センサー３１へ導かれる。カメラボディー２０の背面には、液晶およびバックライト等から構成される背面液晶２９が配置されている。
【００１２】
＜重畳部材＞
重畳部材１００の縦断面図を図２に示す。重畳部材１００は、接眼光学系２５の光軸ＩＰに略垂直な一対の平面１０１ａ、１０１ｂと、平面１０１ａ、１０１ｂに略垂直な平面１０１ｃとからなる平行平面光学部材１０１、ファインダ内表示用液晶１０２、１／４波長板１０３、反射集光部材１０４等から構成されている。平面１０１ｃにはファインダ内表示用液晶１０２が配置されている。ファインダ内表示用液晶１０２は液晶１０２aおよびバックライト１０２ｂから構成される液晶表示部材である。ファインダ内表示用液晶１０２には、撮影済みの被写体画像、メニュー画像、撮影データ等の画像が表示される。バックライト１０２ｂから照射された光は液晶１０２aを透過し平面１０１ｃに入射する。なお、ファインダ内表示装置１０２としては画像等が表示可能であれば良く、液晶表示装置に限られるものではい。例えば、有機ＥＬを用いた表示装置等でも良い。
【００１３】
平行平面光学部材１０１には、ペンタプリズム２４透過後の被写体像光束の光軸ＩＰとファインダ内表示用液晶１０２からの表示画像光束の射出光軸ＩＳとに対し、それぞれ略４５度の傾きをなして偏光ビームスプリッタ（以後、ＰＢＳと記す）１０１ｄが平面１０１a、１０１ｂの間に設けられている。なお、ファインダ内表示用液晶１０２から射出される表示画像光束はＰＢＳ１０１ｄで反射されるように偏光方向が調整されている。平行平面光学部材１０１の被写体像光束入射面である平面１０１aには、平面１０１aと平行に１／４波長板１０３、反射集光部材１０４が配置され、被写体像光束が反射集光部１０４、１／４波長板１０３、平行平面部材１０１の順に重畳部材１００を透過するように配置されている。
【００１４】
ファインダ内表示用液晶１０２から射出された表示画像光束は、ＰＢＳ１０１ｄにより、ペンタプリズム２４側へ反射される。反射された光は、ペンタプリズム２４側の平面１０１ａ上に配置された１／４波長板１０３に入射および透過し、反射集光部材１０４に入射する。反射集光部材１０４は、凹面鏡の役割も果たすホログラムである。反射集光部材１０４に入射した表示画像光束は、ＰＢＳ１０１ｄ側に反射される。ＰＢＳ１０１ｄ側に反射された光は、再び１／４波長板１０３に入射および透過し、ＰＢＳ１０１ｄに入射する。１／４波長板１０３を２度透過した表示画像光束は、ファインダ内表示用液晶１０２を射出した際と比べ、偏光方向が９０度回転しているため、ＰＢＳ１０１ｄを透過する。ＰＢＳ１０１ｄを透過した表示画像光束は、接眼光学系２５を介して接眼ファインダ２６から観察される。上述したように、被写体像光束と、ファインダ内表示用液晶１０２からの表示画像光束とを重畳部材１００により重畳することにより同一接眼ファインダ２６により観察可能となる。なお、ペンタプリズム２４透過後の被写体像光束の光軸ＩＰと、ファインダ内表示用液晶１０２からの表示画像光束の射出光軸ＩＳとは略直交するように構成されている。また、１／４波長板１０３と反射集光部材１０４は、観察光学系１の光路中の光に対して略透明な部材で構成されており、撮像レンズからの被写体光束の劣化はほとんど生じない構成としている。
【００１５】
＜ファインダ内データ表示部＞
データ表示装置２８は、液晶およびバックライト等で構成される液晶表示部である。データ表示装置２８には、測光モード、シャッタースピード、絞り値、露出モード、露出補正値、ホワイトバランス設定等の撮像時および撮像後の処理に関する設定値等の撮像データが表示される。データ表示装置２８は、表示光束がペンタプリズム２４の被写体像光束入射面に対し垂直に入射するように配置されている。データ表示装置２８から射出されたデータ表示光束は、被写体像光束と同様にペンタプリズム２４の被写体像光束入射面に垂直に入射し、重畳部材１００、接眼光学系２５を介して接眼ファインダ２６より観察可能となる。なお図２に示したごとく、データ表示光束Iｄは、被写体像光束ＩＰと同様に反射集光部材１０４、１／４波長板１０３、平行平面光学部材１０１を透過し接眼ファインダ８より観察される。なお、データ表示光束が重畳部材を透過する光路は上記に限るものではない。データ表示光束が図２の光軸Ｉeに示したように、反射集光部１０４、１／４波長板１０３を透過せずに平行平面光学部材１０１のみを透過するとしても良い。この際は、データ表示光束は平面平行光学部材１０１内のＰＢＳ１０１ｄを透過しても良く、またＰＢＳ１０１ｄを透過しなくても良い。さらに、データ表示光束が図２の光路Ｉｆに示したように、重畳部材１００を透過しないとしても良い。
【００１６】
接眼ファインダ２６より観察した、データ装置２８による表示画像の様子を図５aに示す。
データ表示装置２８による表示は、接眼ファインダ２６より観察されるフォーカシングスクリーン２２に結像した被写体像又はファインダ内表示用液晶１０２の表示画像が表示される表示領域６１の下部６２に表示される。
【００１７】
なお、データ表示装置２８による表示は、接眼ファインダ２６により観察した際に、被写体像又はファインダ内表示用液晶１０２の表示画像が表示される領域６１とは別領域に表示されれば良い。例えばデータ表示装置２８による表示が、接眼ファインダ２６より観察されるフォーカシングスクリーン２２に結像した被写体像又はファインダ内表示用液晶１０２の表示画像が表示される表示領域の上部もしくは右部、左部に表示されるとしても良い。また、データ表示装置２８を、ファインダ内表示用液晶１０２とは別に設けたが、これに限るものではない。例えば、ファインダ内表示用液晶１０２と同様に平行平面光学部材１０１の平面１０１ｃにデータ表示部を設置するとしても良く、さらにデータ表示部を設けずに、ファインダ内表示用液晶１０２の表示可能な領域内で表示画像と撮影データを重ねずに別領域に表示するとしても良い。
＜ブロック＞
本実施の形態におけるデジタルカメラ１のブロック図を図３に示す。
【００１８】
測光部４０、焦点検出部４１、ＰＮ液晶部４２、ファインダ内表示部４３、データ表示部４４、背面表示部４５、撮像部４６、画像処理部４７、外部記憶媒体４８、記憶装置４９、十字キー５０、表示モード切換釦５１、表示パターン切換釦５２、操作部５３は、制御部５４に接続され制御されている。
【００１９】
測光部４０は、測光装置３０等を含み、被写体像の輝度値を算出する。焦点検出部４１は、焦点検出センサー３１等を含み、被写体までの距離を測定する。ＰＮ液晶部４２は、ＰＮ液晶２３およびドライバ等を含み、オートフォーカスエリア等を被写体像にスーパーインポーズさせる際に用いられる。ファインダ内表示部４３は、ファインダ内表示用液晶１０２等を含み、撮像画像等が表示される。データ表示部４４は、データ表示装置２８および等を含み、撮像条件等が表示される。背面表示部４５は、背面液晶２９等を含み、撮影済み画像やメニュー画面等を表示する。撮像部４６は、撮像素子部２９等を含み、撮像素子部２９により光電変換された被写体画像信号を出力する。画像処理部４７は、撮像部４６より出力された被写体画像信号に種々の処理を行い画像データに変換する。なお、変換された画像データは、撮影データ等と共に外部記憶媒体４８等に保存される。外部記憶媒体４８は、着脱可能なメモリーカード等である。記憶装置４９は、ＲＯＭ、ＲＡＭ、ＥＥＰＲＯＭ等を含む。十字キー５０は、上下左右に接点をもつ。表示モード切換釦５１は、押圧操作されると画像再生時に同時に表示する画像データの数が変更される。表示パターン切換釦操作部５３は、不図示のレリーズ釦、十字キー、ＡＥロック等のカメラの各種操作部材を含む。
＜フロー＞
本実施の形態におけるデジタルカメラ１の動作の流れについて説明する。
【００２０】
本実施の形態におけるデジタルカメラ１は、ユーザーが設定した撮像処理条件により撮像動作及び撮像画像の処理を行う撮影モード、背面液晶２９に表示されたメニュー画面を見ながら各種機能の設定を行うメニューモード、背面液晶２９に撮影済みの画像を表示させる画像表示モード等の動作モードを持つ。なお、メニューモードでの処理は周知の処理であるため説明を省く。また、撮影モードについても周知な部分についての詳述は省く。
＜撮影モード＞
撮影モードの際には、上述した重畳部材１００のファインダ内表示用液晶１０２はＯＦＦされており、被写体像光束には表示画像光束は重畳されない。
【００２１】
撮影モードでは、不図示のレリーズ釦の半押操作により、焦点検出部４１および測光部４０等からの出力値により、焦点調整および露出値等が決定される。決定された露出値より、必要に応じてシャッター速度、絞り値等の撮像条件が設定される。該半押操作に続いてレリーズ釦が全押操作されると、前記撮像条件により撮像処理が行われる。撮像部４６により出力された画像信号が、画像処理部４７により処理される。画像処理部４７内では、画像信号より、記録用画像データやサムネイル用画像データ等の他に、表示用画像データが作成される。表示用画像データは、背面表示部４５に表示される背面表示用画像データとファインダ内表示部４３に表示されるファインダ内表示用画像データが作成される。表示用画像データは、撮影直後に撮影画像を確認する設定（以下、撮像画像確認設定と称する）がされている際に、背面表示部４５又はファインダ内表示部４３により表示される。撮像画像確認表示を背面表示部４５又はファインダ内表示部４３のどちらに表示するかは、表示パターン切替釦５２により切替可能である。また、撮像画像確認表示を背面表示部４５又はファインダ内表示部４３のどちらに表示するかはメニューモードの際に設定することも可能である。
【００２２】
記録用画像データは、サムネイル用データ、表示用画像データ等の画像データや、撮像時の撮像条件等のデータと共に画像ファイルとして外部記憶媒体４８に記録される。画像の再生については後述する。
＜画像再生モード＞
以下、画像表示モードについて説明する。
【００２３】
上述したように、重畳部材１００により被写体像光束とファインダ内表示用液晶１０２からの表示画像光束を重畳し接眼ファインダ２６より観察可能となる。しかし、ファインダ内表示用液晶１０２の表示画像を観察する場合は、被写体像光束と表示画像光束とが重畳するため、表示画像が観察しずらくなってしまう。そのため、重畳せずにファインダ内液晶の表示画像を接眼ファインダで観察する場合（後述する画像再生モード時等）は、クイックリターンミラー２１をミラーアップし、被写体像光束を遮光する。これにより、ファインダ内表示用液晶１０２の表示画像が接眼ファインダ２６より観察可能となる。なお、被写体像光束を遮光するためにクイックリターンミラー２１を用いたが、被写体像光束を制限可能ならこれに限るものではない。例えば絞り１２を最小絞りにしたり、ＰＮ液晶２３全面を拡散状態として被写体光束を減光するとしても良く、これらを組み合わせて用いても良い。なお、ＰＮ液晶２３を拡散状態として被写体光束を減光する場合は、ミラーアップ動作を行わなくても良く、そのため接眼ファインダ２６による、画像表示モードでのファインダ内表示用液晶１０２による表示画像の観察と、撮影モードでの被写体像の観察とを素早く切換可能となる。
【００２４】
画像表示モードでは、撮影モードにより撮影された撮影済みの画像ファイルの画像データを表示装置（ファインダ内表示部４３又は背面表示部４５）に表示する。
以下画像表示モードでの処理の流れについて説明する。
【００２５】
画像再生モードでは、選択された画像ファイル（以下選択画像ファイルと称す）を表示装置に１コマ表示させる１コマ表示モードと、選択画像ファイルを含む４個の画像ファイルを表示装置に４コマ表示させる４コマ表示モードとがある。なお画像表示モードが開始された際には、最後に撮影記録された画像ファイル、もしくは前回画像表示モードが実行された際に選択されていた画像ファイルが選択される。
【００２６】
画像データを表示装置に表示する表示パターンとしては、背面表示部４５に画像データを表示する表示パターン１と、ファインダ内表示部４３に画像データを表示する表示パターン２がある。
＜１コマ表示モード＞
１コマ表示モードの際には、選択画像ファイルが表示装置に表示される。表示パターン１が選択されている際には、選択画像ファイルの画像データが背面表示部４５に表示される。１コマ表示モードにおける背面表示部４５の表示の様子を図４aに示す。また表示パターン２が選択されている際には、選択画像ファイルの画像データがファインダ内表示部４３に表示されると共に、撮影データがデータ表示部５０に表示される。接眼ファインダ２６から観察した１コマモードにおけるファインダ内表示部４３に表示される画像およびデータ表示部に表示される撮像データ表示の様子を図５aに示す。
【００２７】
＜４コマ表示モード＞
４コマ表示モードの際には、選択画像ファイルとともに計４個の画像ファイルが表示装置に表示される。なお、表示装置に表示されている画像ファイルの画像データの内、選択画像ファイルの表示されている画像データの周りには枠６０が表示され、ユーザーに選択画像ファイルが認識可能となっている。４コマ表示モードにおける背面表示部４５の表示の様子を図４ｂに示す。表示パターン１が選択されている際には、選択画像ファイルを含む４個の画像ファイルの画像データが背面液晶２９に表示される。また、表示パターン２が選択されている際には、選択画像ファイルの画像データを含む４個の画像ファイルの画像データがファインダ内表示部１０２に表示されると共に、選択画像ファイルの撮像データがデータ表示部４４に表示される。接眼ファインダ２６から観察した４コマモードにおけるファインダ内表示部４３に表示される画像およびデータ表示部に表示される撮像データ表示の様子を図５ｂに示す。
【００２８】
また、上述した表示モードは、表示モード切換え釦５２の操作により切換えられる。また、表示パターンは、表示画面切換釦５３の操作により切換えられる。
なお、撮影モードの際には、データ表示部５０には、上述した画像表示モードの際にデータ表示部５０に表示される撮像データ（測光モード、シャッタースピード、絞り値等）と同じ位置に撮像時または撮像後の処理に用いられる撮像データが表示される。
＜画像表示モードのフロー＞
デジタルカメラ１の画像表示モードでの処理についてフロー図、図６、図７を用いて説明する。
【００２９】
画像表示モードに設定されると、ステップＳ１で、表示モードが１コマモードか否かが判定される。表示モードが１コマモードである場合は、ステップＳ３へ移り、表示モードが１コマモードでない（４コマモード）の場合はステップＳ１４へ移る。
【００３０】
ステップＳ２〜Ｓ１２の処理は、１コマモードでの画像表示についての処理である。ステップＳ２では、まず選択画像ファイルが外部記録媒体４８より読み出される。次にステップＳ３で、表示パターンが表示パターン１か否かが判定される。表示パターン１に設定されている場合はステップＳ４へ移り、表示パターン２に設定されている場合はステップＳ５へ移る。ステップＳ４では、背面表示部４５により選択画像ファイルの表示用画像データを表示させ、ステップ８へ移る。ステップＳ５では、まずクイックリターンミラー２１がミラーアップ動作し被写体光束を遮光する。ステップＳ６では、ファインダ内表示部４３により選択画像ファイルの表示用画像データを表示させる。ステップ７では、データ表示部４４により選択画像ファイルの撮像データを表示させる。ステップ８では、表示パターンが切換えられたか否かが判定される。なお、表示パターンは、表示パターン切換釦５２の押圧操作により切換えられる。表示パターンが切換えられた場合はステップＳ２にもどり、表示パターンが切換えられていない場合はステップＳ９へ移る。ステップＳ９ではがず選択画像変更操作が行われたか否かの判定を行う。選択画像は、十字キー５０の押圧操作により変更される。選択画像変更操作が行われた場合はステップＳ１０へ移り、選択画像変更操作が行われていない場合はステップＳ１１へ移る。ステップＳ１０では、十字キー５０の操作に応じて現在選択されている画像ファイルに対して一つ前に記録された画像、又は一つ後に記録された画像ファイルを選択画像ファイルとするよう変更し、ステップＳ２へ戻る。ステップＳ１１では、表示モード（１コマモード又は４コマモード）が変更されたか否かの判定が行われる。現在の表示モードから別の表示モードへ変更された場合はステップＳ１へ戻り、表示モードが変更されていない場合はステップＳ１２へ移る。ステップＳ１２では動作モードが変更されたか否かの判定が行われる。動作モードが、画像表示モード以外へ変更された場合は、ステップＳ１３へ移り、動作モードが変更されていない場合はステップＳ８へ戻る。ステップＳ１３では、クイックリターンミラー２１がアップした状態の場合はクイックリターンミラー２１をダウンさせ、表示装置による画像の表示をＯＦＦし画像表示モードを終了する。
【００３１】
ステップＳ１４〜Ｓ２６の処理は、４コマモードでの画像表示についての処理である。ステップＳ１４では、まず選択画像ファイルを含む４個の画像ファイルが外部記録媒体４８より読み出される。次にステップＳ１５で、表示パターンが表示パターン１か否かが判定される。表示パターン１に設定されている場合はステップＳ１６へ移り、表示パターン２に設定されている場合はステップＳ１７へ移る。ステップＳ１６では、背面表示部４５に選択画像ファイルを含む４個の画像ファイルの表示用画像データを表示させ、ステップＳ２０へ移る。ステップＳ１７では、まずクイックリターンミラー２１がミラーアップ動作し被写体光束を遮光する。ステップＳ１８では、ファインダ内表示部４３により選択画像ファイルを含む４個の画像ファイルの表示用画像データを表示させる。ステップＳ１９では、データ表示部４４により選択画像ファイルの撮像データを表示させる。ステップＳ２０では選択されている画像ファイルが変更されたか否かが判定される。なお選択されている画像ファイルの変更は、十字キー５０の操作によりおこなわれる。十字キー５０の押圧方向に応じて画像が選択されていることを示す枠表示６０（図５ｂ参照）を周りの画像へ移動させることができる。例えば、図５ｂに示した左上の画像データが選択されている際に、十字キーの右釦を押圧操作すると、右上の画像データに枠表示６０が表示される。選択されている画像ファイルが変更された場合はステップＳ２１へ移り、選択されている画像ファイルが変更されていない場合はステップＳ２２へ移る。ステップＳ２１では、十字キー５０の操作に応じて選択されている画像ファイルを示す枠表示６０を移動させる。
【００３２】
ステップ２２では、表示パターンが切換えられたか否かが判定される。なお、表示パターンは、表示パターン切換釦５２の押圧操作により切換えられる。表示パターンが切換えられた場合はステップＳ１５にもどり、表示パターンが切換えられていない場合はステップＳ２３へ移る。ステップＳ２３では、表示画像変更操作が行われたか否かの判定を行う。選択画像は、十字キー５０の押圧操作により変更される。図５ｂに示した左上の画像データが選択されている状態、つまり現在選択されている画像データの上方向に画像データが表示されていない場合に、十字キー５０の上方向釦を押圧操作すると、現在表示されている４個の画像データによりも前に記録された４個の画像ファイルの画像データの表示に切り換る。同様に現在選択されている画像データの下方向に画像データが表示されていない状態で、十字キー５０の下釦を押圧操作すると、現在表示されている４個の画像データによりも後に記録された４個の画像ファイルの画像データの表示に切り換る。
【００３３】
表示画像変更操作が行われた場合はステップＳ２４へ移り、選択画像変更操作が行われていない場合はステップＳ２５へ移る。ステップＳ２４では、十字キー５０の操作に応じて現在表示されている画像ファイルに対して前に記録された４個の画像データ、又は後に記録された４個の画像データが表示されるように選択画像データを設定し、ステップＳ１４へ戻る。ステップＳ２５では、表示モード（１コマモード又は４コマモード）が変更されたか否かの判定が行われる。現在の表示モードから別の表示モードへ変更された場合はステップＳ１へ戻り、表示モードが変更されていない場合はステップＳ２６へ移る。ステップＳ２６では動作モードが変更されたか否かの判定が行われる。動作モードが、画像表示モード以外へ変更された場合は、ステップＳ１３へ移り、動作モードが変更されていない場合はステップＳ２０へ戻る。ステップＳ１３では、クイックリターンミラー２１がアップした状態の場合はクイックリターンミラー２１をダウンさせ、表示装置による画像の表示をＯＦＦし画像表示モードを終了する。
【００３４】
なお、表示用画像データを表示装置に表示する際に、背面表示部４５に画像を表示する場合は背面表示用画像データを、ファインダ内表示部４３に画像を表示する場合はファインダ内表示用画像データを用いて表示させたが、表示装置に表示させる画像はこれに限るものではない。表示用画像データとして背面表示用画像データのみ作成し、ファインダ内表示部４３により表示する際は、ファインダ内表示部４３に合わせて表示用画像データをリサイズして表示するとしても良い。また、表示装置に記録用画像データを表示しても良い。
【００３５】
上述した様に、本実施の形態におけるデジタルカメラ１は、ファインダ内表示部４３によって表示された撮像済みの画像データと、データ表示部４４によって表示された該表示画像の撮像時の撮像データとを接眼ファインダ２６から同時に観察するこができる。そのため、背面表示部では観察しにくい場合であってもファインダ内表示液晶１０２に画像データを表示し、接眼ファインダ２６より観察することにより、画像をより良く観察可能となる。さらに、接眼ファインダより画像データを観察する際に、データ表示部４４によりファインダ内表示部４３に表示されている画像データの撮像データが、表示されている画像データに重畳されることなく表示されるため、撮像時の撮像データを確かめつつ、画像データの確認ができる。また、本実施の形態におけるデジタルカメラ１は、撮像時に、撮像条件を表示している部材をデータ表示部４４として利用しているため、画像再生時の撮像データの表示のために新たな部材を追加する必要がない。
【００３６】
また、重畳部材１００により、撮像時には反応速度、色再現、解像度等が優れた被写体からの光学像を観察し、撮像した画像データを確認する際には、撮像済み画像と共に撮像データも表示を周囲の環境光の影響がすくないファインダ内表示部により確認することができる。これによりユーザーは接眼ファインダを覗きながら撮像および撮像画像の詳細な検討が可能となる。さらに、ユーザーは、接眼ファインダを覗いたままで、撮像し、撮像データと共に撮像画像を確認検討し次の撮像を行うことができるため、効率良く撮像することができる。また、撮影モードと画像確認モードとでデータ表示部５０に表示される測光モード、シャッタースピード、絞り値等の撮像データがそれぞれ同じ位置に表示されるため確認しやすく、撮像済みの画像データの撮像データを次の撮影に反映しやすい。
【００３７】
以上のように本発明を、一眼レフデジタルデジタルカメラ１の画像再生モードに適用した場合について説明したがこれに限るものではない。
たとえば、撮影モードの際に撮像直後に撮像画像を所定時間、表示装置に表示する撮像画像確認表示手法として、上述した表示パターン１および表示パターン２用いて選択可能に用いても良い。
【００３８】
また、本発明を背面液晶を持たない一眼レフデジタルカメラや、レンズ一体形デジタルカメラ、銀塩カメラ等に適用しても良い。
【図面の簡単な説明】
【００３９】
【図１】デジタルカメラ１の縦断面図
【図２】重畳部材１００の縦断面図
【図３】デジタルカメラ１のブロック図
【図４】１コマ表示モードにおける背面表示部４５の表示の様子
【図５】４コマ表示モードにおける背面表示部４５の表示の様子
【図６】デジタルカメラ１の画像表示モードでの処理のフロー図 その１
【図７】デジタルカメラ１の画像表示モードでの処理のフロー図 その２
【符号の説明】
【００４０】
１  デジタルカメラ
１０  交換レンズ
１１  撮像レンズ
１２  絞り
２０  カメラボディー
２１  クイックリターンミラー
２２  フォーカシングスクリーン
２３  ＰＮ液晶
２４  ペンタプリズム
２５  接眼光学系
２６  接眼ファインダ
２７  撮像素子部
２８  データ表示装置
２９  背面液晶
３０  測光装置
４０  測光部
４１  焦点検出部
４２  ＰＮ液晶部
４３  ファインダ内表示部
４４  データ表示部
４５  背面表示部
４６  撮像部
４７  画像処理部
４８  外部記憶媒体
４９  記憶装置
５０  十字キー
５１  表示モード切換釦
５２  表示パターン切換釦
５３  操作部
５４制御部
６０  枠表示
１００  重畳部材
１０１  平行平面光学部材
１０２  ファインダ内表示用液晶
１０３  １／４波長板
１０４  反射集光部材
【図１】
2006145843.tif 000003
【図２】
2006145843.tif 000004
【図３】
2006145843.tif 000005
【図４】
2006145843.tif 000006
【図５】
2006145843.tif 000007
【図６】
2006145843.tif 000008
【図７】
2006145843.tif 000009